(57)【要約】【課題】角質除去装置を提供すること。【解決手段】本発明は人体部位のうち症状が最も酷い足の角質を極めて効率よく、しかも、簡単で且つ手軽に除去することのできる新規な角質除去具とその角質除去装置に関する。すなわち、下端には電動モーターＭを備え、電動モーターの軸には角質を擦って除去可能な角質研磨部材１０を配設するが、前記角質研磨部材１０は合成樹脂射出成形方法により成形され、その上面には手のひらや足裏などを当てたのちに擦り易いように所定の曲率をもつ研磨面１１が形成され、前記研磨部材１０の研磨面１１の表面にはアルミナ、炭化けい素、エメリー、ガーネット及びけい石粉末よりなる群から選ばれたいずれか一種以上が混合された研磨材２０を均一分布により固着し、前記研磨材２０粒子は角質に対する研磨効率に極めて優れた粒度範囲である６０〜１２０メッシュであり、一方、研磨部材１０の一方の側にはユーザーの手や足裏に所定量の水分を適切に噴射しつつ角質除去がなされるように水噴射装置３０をさらに配設している。
2010528699.tif 000002
【特許請求の範囲】
【請求項１】
下端には電動モーター（Ｍ）を備え、電動モーターの軸には合成樹脂射出成形方法により成形された角質研磨部材（１０）を配設し、
前記角質研磨部材（１０）の上面には手のひらや足裏などを当てたのちに擦り易いように所定の曲率をもつ研磨面（１１）が形成され、
前記研磨面（１１）の表面にはアルミナ、炭化けい素、エメリー、ガーネット及びけい石粉末よりなる群から選ばれたいずれか一種以上が混合された６０〜１２０メッシュ粒径の研磨材（２０）を均一分布により固着し、
前記角質研磨部材（１０）の他方の端にはユーザーの手や足裏に所定量の水分を適切に噴射しつつ角質除去がなされるように水噴射装置（３０）をさらに配設したことを特徴とする角質除去装置。
【請求項２】
前記モーター（Ｍ）軸と研磨部材（１０）が結合される部位のモーター軸に回転板（４０）を配設してそこに研磨部材（１０）が密着されるようにするが、前記回転板（４０）には１以上の係合孔（４１）を形成する一方、前記研磨部材（１０）には係合ピン（４２）を形成して互いに嵌合されるようにし、その回転板（４０）の係合溝の側端には係合ピン（４２）の係止状態を堅固に維持できるように係止ピン溝（４３）に挿入後に反回転すれば係止可能な係止ピン（４４）が挿設されたことを特徴とする請求項１に記載の角質除去装置。
【請求項３】
前記水噴射装置（３０）は水容器（３１）とホース（３２）、水噴射作動部材（３４）から構成されるが、前記水噴射作動部材はユーザーの手または足を載せて押したり、または手または足に当てた後に上下に所定の幅だけ押してポンピング作動する場合に水容器（３１）に入れられた水がホース（３２）と噴射口（３３）を介して所定の密閉空間内において少量噴射されるように四角筒状または円筒状に配設したことを特徴とする請求項１に記載の角質除去装置。
【発明の詳細な説明】
【技術分野】
【０００１】
本発明は人体部位のうち症状が最も酷い足の角質を極めて効率よく、しかも、簡単で且つ手軽に除去することのできる新規な角質除去具とその角質除去装置に関する。
【背景技術】
【０００２】
通常、角質は、外部環境から皮膚を保護するために所定の周期ごとに自発的に生成されるケラチン（皮膚などの構造タンパク質）と呼ばれる成分の細胞膜であって、人体のあらゆる皮膚にあまねく生成される物質であるが、特に、手や足裏などのように外部衝撃を頻繁に受けたり衝撃の度合いが激しいところにはその衝撃に対して皮膚を保護するために人体それ自体で一層厚い角質層が形成されるが、これは、普通、たこと呼ばれる。
【０００３】
かような角質は皮膚に保護膜を形成してその他の外部環境から皮膚を保護するための一環として皮膚それ自体で生成されるものであり、一定で且つ正常的な角質は人体にかかせない要素であると言える。
【０００４】
しかしながら、角質の生成後に所定の時間が経過してその機能（皮膚保護機能）が失われた死滅した角質または老化された角質及び必要以上に蓄積された肥厚した角質などは皮膚の毛穴を閉塞して皮膚にむしろ有害な作用をするだけではなく、残存角質は細菌の立派な食物となって細菌繁殖を促して細菌による皮膚トラブル、水虫などを引き起こす原因として作用する恐れがあり、さらに、かなりの痛症と細菌の浸透可能性が極めて高い肥厚した角質のひび割れ現象が発生する可能性があるため、皮膚に損傷を引き起こさない範囲内の適切な角質除去は極く必須的であると言える。
【０００５】
これに対する従来の普遍的な角質除去方法としては、入浴時に足を水に浸して長時間ふやかした後、ふやかされた踵などを表面が粗いタオルや粗い凹凸を有する石などを手で取って引っ掻いたり、または極めて肥厚したたこを鋭い刃で刈り出したり掻き出したりし、最近には取っ手付き角質除去具または高速回転電動機を用いた電動式角質除去具などが次から次へと上市されるに伴い、これらの使用が大幅に増加しつつある。
【０００６】
しかしながら、上述した従来の角質除去具は、老化されたり機能喪失された角質に対する効率的な除去が事実上困難であるだけではなく、むしろ正常皮膚を強く刺激して損傷を引き起こす可能性があるものと評価されており、併せて、手から遠く離れている足裏の角質を除去するための手を用いた足裏の擦り姿勢が思うように行かずにかなり大変で且つ難しいと報告されており、何よりも、従来の手動または電動式角質除去具は堅く変質されたものであるとしても一般的な固体物と根本的に異なる皮膚組織の一部である角質が持つ固有の特性が無視された角質除去物（石表面の粗いテクスチャー及び研磨材料の種類、粒径など）が使用されるため角質除去の高効率を期待し難いという問題点があり、これに対する改善の要求が絶えずなされている。
【０００７】
一方、角質は人体の表皮の一部であるケラチン（皮膚などの構造タンパク質）が堅くなったものであるため、乾性と脂性皮膚など体質に応じてもやや違いがありうるが、水を付けたり水に浸しているときには柔らかな状態となって、乾燥した場合にはかなり堅い状態となるが、その中で、水が付いて柔らかな状態では研磨石などで擦っても研磨自体が上手く行われないため、あまり推奨されない方法ではないが、むしろ長時間ふやかした後に極めて粗い石などにより力強く擦って強制的に剥がし出したり引き剥がすことが一層効果的であるといった特性を有しており、乾燥されて極めて堅い場合には上記の方法よりは研磨石などを用いて研磨することが最も理想的であるが、乾燥した状態で研磨する場合には研磨された角質の微細粒子が研磨粒子の間にくっついて粗い研磨面を鈍く埋め込んでしまって研磨が困難になるという問題点があるため、これもまた効果的な研磨を容易に行うことができなくなるという特性を有している。
【０００８】
このような角質の特性によって、上述した従来の角質除去方法はもちろん、それ以外の様々な角質除去方法やその器具などを利用しても満足のいく効率は期待することが困難になるのである。
【発明の概要】
【発明が解決しようとする課題】
【０００９】
本発明は上記事情に鑑みてなされたものであり、その目的は、先ず、水が付いた場合に柔らかくて研磨が事実上不可能であるのに対し、乾燥した場合には極めて堅いものの、一般的な固体物とは異なり、研磨表面などにくっついた角質の特性を正確に把握した後、研磨可能な新たな物理的な角質条件を定立し、これを基に、最適な研磨粒子条件をも確立して、結果的に効率性に極めて優れた新規な角質除去装置を提供するところにある。
【課題を解決するための手段】
【００１０】
上記の目的を達成するために、本発明は、下端には電動モーターＭを備え、電動モーターの軸には合成樹脂射出成形方法により成形された角質研磨部材１０を配設し、前記角質研磨部材１０の上面は手のひらや足裏などを当てたのちに擦り易いように所定の曲率をもつ研磨面１１が形成され、前記研磨面１１の表面にはアルミナ、炭化けい素、エメリー、ガーネット及びけい石粉末よりなる群から選ばれたいずれか一種以上が混合された６０〜１２０メッシュ粒径の研磨材２０を均一分布により固着し、前記研磨部材１０の他方の端にはユーザーの手や足裏に所定量の水分を適切に噴射しつつ角質除去がなされるように水噴射装置３０をさらに配設したことを特徴とする角質除去装置を提供する。
【発明の効果】
【００１１】
本発明に係る角質除去装置とその方法は、角質研磨時に通常の固体物とはそのテクスチャーが根本的に異なる角質、特に、人体の手や足裏の角質を極めて簡単で且つ効率よく、しかも手軽に研磨／除去することのできる画期的な発明である。
【図面の簡単な説明】
【００１２】
【図１】本発明の好適な一実施形態を示す斜視図。
【図２】本発明の要部の分解斜視図。
【図３】本発明において提示された研磨部材上の研磨面とその研磨面に固着／塗布される研磨材の状態を拡大した断面例示図。
【図４】本発明の他の実施形態を示す例示図。
【図５】本発明の他の実施形態を示す例示図。
【図６】本発明において提示された水噴射状態の例示図。
【発明を実施するための形態】
【００１３】
本発明は、下端には電動モーターＭを備え、電動モーターの軸には合成樹脂射出成形方法により成形された角質研磨部材１０を配設し、前記角質研磨部材１０の上面には手のひらや足裏などを当てたのちに擦り易いように所定の曲率をもつ研磨面１１が形成され、前記研磨面１１の表面にはアルミナ、炭化けい素、エメリー、ガーネット及びけい石粉末よりなる群から選ばれたいずれか一種以上が混合された６０〜１２０メッシュ粒径の研磨材２０を均一分布により固着し、前記研磨部材１０の他方の端にはユーザーの手や足裏に所定量の水分を適切に噴射しつつ角質除去がなされるように水噴射装置３０をさらに配設したことを特徴とする角質除去装置を提供する。
【００１４】
以下、添付図面に基づき、本発明に係る角質除去装置を詳細に説明する。
【００１５】
本発明は、図１に示すように、下端には電動モーターＭを備え、電動モーターの軸には合成樹脂射出成形方法により成形された角質研磨部材１０を配設し、前記角質研磨部材１０の上面には手のひらや足裏などを当てたのちに擦り易いように所定の曲率をもつ研磨面１１が形成され、前記研磨面１１の表面にはアルミナ、炭化けい素、エメリー、ガーネット及びけい石粉末よりなる群から選ばれたいずれか一種以上が混合された６０〜１２０メッシュ粒径の研磨材２０を均一分布により固着し、前記研磨部材１０の他方の端にはユーザーの手や足裏に所定量の水分を適切に噴射しつつ角質除去がなされるように水噴射装置３０をさらに配設したことを特徴とする。
【００１６】
次に、本発明に係る角質除去方法は、アルミナ、炭化けい素、エメリー、ガーネット、けい石粉末よりなる群から選ばれたいずれか一種以上が混合された粒度６０〜１２０メッシュ範囲である研磨材２０を研磨面１１に固着した手動または電動の角質除去具を使用する一方、角質除去が必要なユーザーの手または足裏の角質除去部位にはスプレイ方式により流下しない微量の水分を含有させて湿った角質状態にした後、角質除去具の研磨部材１０を密着して回転させ、このとき、研磨部材１０の回転速度を６０〜１８０ｒｐｍの低速にて回転させて研磨効率性を極大化させ、前記研磨中に角質に含有させた水分が乾燥した場合に水分を再噴射させて流下しない範囲の微量水分の含有により湿った角質状態が維持されたままで角質研磨がなされるようにしたところに他の特徴がある。
【００１７】
前記要素のうち、研磨部材１０の研磨面１１に固着される研磨材２０としてアルミナ、炭化けい素、エメリー、ガーネット、けい石粉末よりなる群から選ばれたいずれか一種以上が混合された物質を使用した理由は、角質に対する切削効率を極大化させるとともに、長時間使用時にも粗い研磨粒子の鈍さを極力抑えることによる長久な寿命が保証可能な最善の材料を選択するためであり、研磨材２０の粒度を６０〜１２０メッシュの範囲に設定した理由は、この範囲が、特に手や足裏に生成された厚い角質との摩擦時にその角質に対する切削効率が最も高い粒径範囲であるためであり、もし、６０メッシュ以下の太い粒子の場合には粗過ぎて皮膚に損傷を引き起こす恐れがかなり高いのに対し、１２０メッシュ以上の小粒子である場合には切削がなされず、角質除去効率が全くない。
【００１８】
そして、本格的な角質研磨を行う前に角質除去対象部位であるユーザーの手または足裏の角質部位に流下しない範囲の微量水分をスプレイ方式により噴射することは流下しない程度に多い水分が含有される場合に角質が過度に柔らかくなって研磨が困難になる一方、もし、上記の理由から水分を全く含有させない場合、角質が堅くなって研磨面１１に角質の粉末がくっついて一層研磨が不可能な状態となるため、角質粉末が研磨面１１にあまりくっついていないままで、適当に柔らかくて研磨効率が最大となる角質最適条件を付与するためであり、これは、角質の除去方法においてかなり重要で且つ必須的な要求条件であると言える。
【００１９】
また、上述した条件下で研磨を行うとき、研磨部材１０の回転速度を極めて遅い６０〜１８０ｒｐｍにて低速回転させることは、研磨材２０の粒度が６０〜１２０メッシュであることを考慮してその粒度による角質との摩擦及び切削率などを考慮するとき、１８０ｒｐｍ以上の高速にて回転すると、ユーザーが予期しない、または、適切に対応し難い程度に急速に切削及び研磨されて皮膚を大きく損傷する恐れがかなり高く、もし、６０ｒｐｍ以下に超低速回転する場合には角質があまり除去されないという問題点があるため、研磨部材１０の回転速度を６０〜１８０ｒｐｍの速度に設定することは極めて重要な事項である。
【００２０】
すなわち、角質に対する研磨時に、上述したように、研磨部材１０の研磨面１１はアルミナ、炭化けい素、エメリー、ガーネット、けい石粉末よりなる群から選ばれたいずれか一種以上が混合された研磨材２０を使用し、その粒度は６０〜１２０メッシュの範囲にし、手または足裏の角質除去部位はスプレイ方式により流下しない微量水分を噴射して含有させるが、このとき、研磨部材１０の回転速度を６０〜１８０ｒｐｍの遅い低速にて回転させる手順と条件が角質を効率的に除去可能な最良の方法であり、これらの工程のうちいずれか一つの条件でも満足しない限り、角質の効率的な除去は事実上困難である。
【００２１】
一方、上述した角質除去方法を達成するために提示された前記角質除去装置には、上述したように、電動モーターＭを配設するが、この電動モーターＭとしては所要の速度比の減速ギアが内蔵された減速モーターを使用することもできるが、交流モーターに速度調節ボリュームを有するインバータを内蔵して所定の周波操作によりモーターの回転速度を自由に調節／制御することのできるインバータ電動モーターを使用しても構わない。
【００２２】
また、研磨面１１を持つ前記研磨部材１０には他のユーザーが使用するときに以前のユーザーの研磨部材１０をそのまま使用する場合に拒否感を感じうるため、自分が使用していた研磨部材１０に交替して使用し易いように着脱し易い必要があるが、このため、前記モーターＭ軸と研磨部材１０が結合される部位のモーター軸に回転板４０を配設させてそこに研磨部材１０が密着されるようにするが、前記回転板４０には１以上の係合孔４１を形成する一方、前記研磨部材１０には係合ピン４２を形成して互いに嵌合されるようにし、その回転板４０の係合溝の側端には係合ピン４２の係止状態を堅く維持できるように係止ピン溝４３に挿入後に反回転すれば係止可能な係止ピン４４が嵌め込まれるような着脱構造に構成することができる。
【００２３】
そして、前記水噴射装置３０は使用の便宜性のために噴霧レバーを指で作動する場合に噴射されるように一般的な水噴射装置の構造に構成することもできるが、ユーザーの手または足を載せて押したりまたは手または足に当てた後に上下に所定の幅を押してポンピング作動する場合に水容器３１に入れられた水がホース３２と噴射口３３を介して所定量が噴射されるように、別途の位置に上下にピストン作動する四角筒状または円筒状の水噴射作動部材３４を配設するが、その水噴射作動部材３４の下端にはポンピング作動用ピストン（図示せず）と連結させた構造を有することにより、前記水噴射作動部材３４の上下ポンピング作動によって所定量の水が噴射可能であり、このような水噴射原理は日常においても容易に接しうる水噴射容器などに備えた原理と同様であるためより詳細な説明及び具体的な図面は省略する。
【００２４】
そして、上記水噴射口３３には微量の水分が霧のように噴射された後に角質の表面に含有できるように極めて小口径のノズル溝３３−１を形成することが好ましい。
【００２５】
また、本願の角質除去具は電動モーターＭの電源供給のために別途に引き出された電源線と電源プラグを備えることもでき、場合によっては、充電用電極を備えることもでき、必要に応じて、バッテリ（使い捨て及び充電式乾電池）を内蔵することもできる（図示せず）。
【符号の説明】
【００２６】
Ｍ：電動モーター
１０：研磨部材
１１：研磨面
２０：研磨材
３０：水噴射装置
３１：水容器
３２：ホース
３３：噴射口
３３−１：ノズル溝
３４：水噴射作動部材
４０：回転板
４１：係合孔
４２：係合ピン
４３：係止ピン溝
４４：係止ピン
【図１】
2010528699.tif 000003
【図２】
2010528699.tif 000004
【図３】
2010528699.tif 000005
【図４】
2010528699.tif 000006
【図５】
2010528699.tif 000007
【図６】
2010528699.tif 000008
【国際調査報告】
2010528699.tif 000009
2010528699.tif 000010